(57)【特許請求の範囲】
【請求項１】
第一の筐体に対して第二の筐体が位置変更可能に取り付けられた携帯端末装置において、
前記第一の筐体には、前記第二の筐体が基準位置にあるときに該第二の筐体によって覆われ、該第二の筐体が基準位置から移動したときに外部に露出するハンズフリースピーカー部が設けられ、
前記第二の筐体が、前記第一の筐体の前面にスライド自在に装着され、前記第一の筐体の前面に操作部が設けられるとともに、前記第二の筐体の前面に表示部が設けられていることを特徴とする携帯端末装置。
【請求項２】
請求項１記載の携帯端末装置において、
受話スピーカー部と、
前記第二の筐体が基準位置にあるときに音声信号を該受話スピーカーに供給し、前記第二の筐体が基準位置から移動したときに前記音声信号を前記ハンズフリースピーカー部へ供給する信号切換部と、
を備えていることを特徴とする携帯端末装置。
【請求項３】
請求項２記載の携帯端末装置において、
前記第一の筐体の前面にマイクロフォン部が設けられ、前記受話スピーカー部が前記第二の筐体の前面に設けられていることを特徴とする携帯端末装置。
【発明の詳細な説明】
【０００１】
【発明の属する技術分野】
この発明は、ハンズフリースピーカー部を備えた携帯端末装置に関する。
【０００２】
【従来の技術】
携帯端末装置のうち、例えば携帯電話機においては、受信音声を聴き取るためのスピーカーとして、電話機を耳に当てて音声を聴き取る受話スピーカーだけでなく、電話機から一定距離離間して音声を聴き取ることのできるハンズフリースピーカーを備えたものが提供されている。
【０００３】
従来この種の携帯電話機では、ハンズフリースピーカーが一定のスペースを占有するため、電話機の大きさを携帯性を損なわない大きさに抑える観点から、当該ハンズフリースピーカーを電話機筐体の背面に設置していた。即ち、電話機は、その前面側にマイクロフォン、液晶表示部、操作キー等を設け、背面側にハンズフリースピーカーを設ける構成を採っていた。
【０００４】
【発明が解決しようとする課題】
しかしながら、上記従来の携帯電話機においては、ハンズフリースピーカーからの音声を聴こうとする場合に、該スピーカーからの音声が電話機筐体の後方に発せられるので、当該音声が聴き取り難いという問題があった。即ち、電話機の使用に際しては、使用者がマイクロフォン等の設けられた電話機筐体の前面に対向して位置するため、ハンズフリースピーカーの音声が使用者側ではなくその反対方向に発せられることになり、音量の不足が生じることになる一方、音声のうちの指向性の強い高周波数成分が使用者側に届き難くなり、当該音声が聴き取り難くなるという問題があった。
【０００５】
この問題を解決するためには、ハンズフリースピーカーを電話機筐体の前面側に設けることであるが、電話機前面側には液晶表示部、操作キー等が設けられているため、前述したように電話機が大型化して携帯性が損なわれるという問題が生じる。
【０００６】
この発明は、このような事情を考慮してなされたもので、その目的は、ハンズフリースピーカー部を備えた携帯端末装置において、装置の大型化を招くことなく、ハンズフリースピーカー部から発せられる音声を明瞭に聴くことのできる携帯端末装置を提供することにある。
【０００７】
【課題を解決するための手段】
上記の目的を達成するために、本発明は以下の手段を提案している。
本発明は、第一の筐体に対して第二の筐体が位置変更可能に取り付けられた携帯端末装置において、前記第一の筐体には、前記第二の筐体が基準位置にあるときに該第二の筐体によって覆われ、該第二の筐体が基準位置から移動したときに外部に露出するハンズフリースピーカー部が設けられ、前記第二の筐体が、前記第一の筐体の前面にスライド自在に装着され、前記第一の筐体の前面に操作部が設けられるとともに、前記第二の筐体の前面に表示部が設けられていることを特徴とする。
【０００８】
本発明によれば、第二の筐体を基準位置から移動させると、ハンズフリースピーカー部が外部に露出する。従って、この状態でハンズフリースピーカーからの音声を聴取すれば、ハンズフリースピーカー部に対向して音声を聴くことができる。また、第一の筐体に対して第二の筐体を位置変更可能とし、第二の筐体を基準位置に戻し得る構成を採用することで、装置の大型化を抑えることが可能となる。
【０００９】
本発明によれば、第一の筐体に対して第二の筐体をスライドさせた場合に、ハンズフリースピーカー部が外部に露出することになる。
【００１０】
また、受話スピーカー部と、前記第二の筐体が基準位置にあるときに音声信号を該受話スピーカーに供給し、前記第二の筐体が基準位置から移動したときに前記音声信号を前記ハンズフリースピーカー部へ供給する信号切換部と、を備えていることを特徴とする。
本発明によれば、前記第二の筐体が基準位置にあるときには音声信号が受話スピーカー部に供給され、同第二の筐体が基準位置から移動したときには音声信号が前記ハンズフリースピーカー部へ供給される。
【００１１】
また、前記第一の筐体の前面にマイクロフォン部が設けられ、前記受話スピーカー部が前記第二の筐体の前面に設けられていることを特徴とする。
本発明によれば、第一、第二の筐体の前面側において前記受話スピーカーから音声を聴き取り、同前面側において前記マイクロフォン部向け音声を発して使用する。
【００１２】
【発明の実施の形態】
以下、図面を参照し、この発明の一実施の形態について説明する。図１〜図５は、この発明の一実施の形態を示すものであり、この発明を携帯電話機に適用した場合のものである。
【００１３】
図１、図２において、携帯電話機１（携帯端末装置）は、第一の筐体２と第二の筐体３とから構成されたもので、第二の筐体３が第一の筐体２のケース４の前面５にスライド自在に装着された構成とされている。即ち、第二の筐体３は、第一の筐体２上に平行移動可能に取り付けられ、第二の筐体３が二点鎖線で示す基準位置６と実線で示す上限位置７との間で位置変更可能な構成とされている。第一の筐体２は、全体として扁平な形状に形成されており、ケース４内に各種の電子部品を内蔵してなるものである。ケース４は、その前面５側の下半部８と上半部９との間に段部１０を有し、下半部８より上半部９が薄厚の構成とされている。
【００１４】
ケース４の前面５側において、下半部８には通話キー、終話キー、テンキー等操作キー１１が設けられ、更に下端部にマイクロフォン部１２が設けられている。操作キー１１は、通話キー、終話キー、テンキー等からなっており、操作部を構成している。マイクロフォン部１２は、ケース４の内面側に該ケース４に形成された開口部１３部分に合致させてマイクロフォン１４を取り付けてなるものである。また、上半部９には、ハンズフリースピーカー部１５とガイド孔１６とが設けられている。ハンズフリースピーカー部１５は、ケース４の内面側に該ケース４に形成された複数の開口部１７部分に合致させてハンズフリースピーカー１８を取り付けてなるものである。ガイド孔１６は、第二の筐体３を第一の筐体２に取り付け、かつ第二の筐体３の移動を案内するものであり、上下方向に延在すように長尺に形成されている。
【００１５】
第二の筐体３は、全体として第一の筐体２と同様に扁平に形成されたものであって、第一の筐体より小型である。この第二の筐体３には、そのケース２０の前面２１側に液晶表示部２２（表示部）と受話スピーカー部２３とが設けられている。受話スピーカー部２３は、ケース２０の内面側に該ケース２０に形成された開口部２４部分に合致させて受話スピーカー２５を取り付けてなるものである。受話スピーカー２５は、その音声出力が携帯電話機１を耳に当てて聴き取るレベルに設定されたものである。
【００１６】
図３、図４に示すように、第二の筐体３のケース２０の背面側には、ガイドスタッド２６が形成されており、ガイドスタッド２６は第一の筐体２側の前記ガイド孔１６内に挿入されている。このガイドスタッド２６は、ガイド孔１６内において上下方向に移動自在である。ガイドスタッド２６はその先端部に係止壁部２７を有しており、この係止壁部２７がケース４の内面側に位置することによって第二の筐体３の第一の筐体２からの離脱が防止されている。
【００１７】
ケース４の内面側には、図３に示すようにガイド孔１６の上端部寄り及び下端部寄りに位置規制壁部２８，２９が形成されている。位置規制壁部２８，２９にはそれぞれ突部２８Ａ、２９Ａが形成されている。一方、図５に示すようにガイドスタッド２６の係止壁部２７には前記突部２８Ａ，２９Ａが嵌合自在な凹部３０が形成されている。
【００１８】
この構成の下に第二の筐体３は、ガイドスタッド２６がガイド孔１６に案内される方向、即ち上下方向に移動自在である。また、第二の筐体３が基準位置６に位置している場合には、突部２８Ａが凹部３０に嵌合することによって第二の筐体３がその位置にロックされるようになっている。このとき第二の筐体３は、ハンズフリースピーカー部１５を覆った状態にあり、その下端部が段部１０に当接した状態にある。また、この状態から第二の筐体３を上限位置７に到らせた場合には、突部２９Ａが凹部３０に嵌合し、筐体３がそれ以上上方に移動できないようになっている。
【００１９】
また、図１、図２に示すように、第二の筐体３のケース２０の下端部には、段部１０方向へ向けて突出するようにノーズ部材４０が設けられている。第一の筐体２側において、ケース４の段部１０には開口部４１が形成されており、ケース４内には開口部４１に臨ませて検知スイッチ４２が設けられている。この構成において、第二の筐体３が基準位置６に到ったときノーズ部材４０が検知スイッチ４２に接触し、基準位置６から離れたときに同接触が解かれ、検知スイッチ４２がこれらの状態を検知するようになっている。
【００２０】
検知スイッチ４２は信号切換部４３の一部を構成しており、信号切換部４３は検知スイッチ４２の検知出力に基づいて第二の筐体３が基準位置６にあるとき受信音声信号を受話スピーカー部２３に供給し、第二の筐体３が基準位置６から移動して離れたときにハンズフリースピーカー部１５に供給するように構成されている。
【００２１】
なお、第二の筐体３は、第一の筐体２に対してスライド自在に構成されているが、これらの間の電気的な接続は、図３に示すように３つの回動支点を持つケーブルガイド４４内にケーブルを通すことによって行われており、第二の筐体３の移動によって支障が生じないようになっている。
【００２２】
上記の携帯電話機１を使用する場合において、受話スピーカー部２３とマイクロフォン部１２とを使う場合には、第二の筐体３を基準位置６に到らせる。このようにすると、ハンズフリースピーカー部１５が第二の筐体３によって覆われ、位置規制壁部２８の突部２８Ａがガイドスタッド２６の凹部３０に嵌合し、第二の筐体３がその位置にロックされる。この状態において、ノーズ部材４０が検知スイッチ４２に接触し、信号切換部４３が受信音声信号を通話スピーカー部２３に供給する。これにより、受話スピーカー部２３、マイクロフォン部１２により送受話を行うことができる。ここで、この携帯電話機１においては、マイクロフォン部１２を第一の筐体２に設け、受話スピーカー部２３を第二の筐体３に設ける構成を採用したので、これらマイクロフォン部１２と受話スピーカ部２３との間の離間寸法を適切に設定できる。
【００２３】
また、携帯電話機１において、ハンズフリースピーカー部１５を使用する場合には、第二の筐体３を上限位置７へ到らせる。このようにすると、ハンズフリースピーカー部１５が前方に露出する。また、この際位置規制壁部２９の突部２９Ａがガイドスタッド２６の凹部３０に嵌合し、第二の筐体３がその位置にロックされる。そして、ノーズ部材４０が検知スイッチ４２から離間するため、信号切換部４３が受信音声信号をハンズフリースピーカー部１５に供給する。これによって電話機使用者は、ハンズフリースピーカー部１５から音声を聴くことができる。
【００２４】
この場合使用者は、携帯電話機１を通常使用するとおりに電話機１の前面側に位置していても、ハンズフリースピーカー部１５からの音声が使用者に向けて発せられ、従って音量の低下、高周波数成分の劣化等が抑えられ、使用者が音声を明瞭に聴くことができる。
従って、この携帯電話機１によれば、第二の筐体３を第一の筐体２に対してスライド自在に構成し、ハンズフリースピーカー部１５を使用しない場合は第二の筐体３を基準位置６に到らせることができるので、電話機１の小型化を実現した上でハンズフリースピーカー部１５の音声を明瞭に聴き取ることができる。
また、第二の筐体３を第一の筐体２に対してスライド自在に構成したので、第二の筐体３による上記の切換操作が容易にできるという効果が得られる。
【００２５】
なお、上記の実施の形態では、第二の筐体３を第一の筐体２にスライド自在に取り付けた構成としたが、この発明においては、上記のスライドさせる形態だけでなく、第二の筐体を第一の筐体に回動自在に取り付ける等の構成であってもよい。
【００２６】
【発明の効果】
以上説明したように、本発明によれば、第二の筐体を基準位置から移動させるとハンズフリースピーカー部が外部に露出するので、ハンズフリースピーカー部からの音声を明瞭に聴き取ることができる。また、第一の筐体に対して第二の筐体を位置変更可能とし、第二の筐体を基準位置に戻し得る構成を採用したので、装置の大型化を抑え得るという効果が得られる。
【００２７】
また、前記第二の筐体が、前記第一の筐体の前面にスライド自在に装着されているので、前記第二の筐体による切換操作を容易に行うことができるという効果が得られる。
【００２８】
また、前記第二の筐体が基準位置にあるときには音声信号が受話スピーカー部に供給され、同第二の筐体が基準位置から移動したときには音声信号が前記ハンズフリースピーカーへ供給されるので、これらの切換えを自動的に行うことができるという効果が得られる。
【００２９】
また、前記第一の筐体の前面にマイクロフォン部を設け、前記受話スピーカー部を前記第二の筐体の前面に設けたので、これらマイクロフォン部と受話スピーカー部との間の離間寸法を適切に設定することができる。
【図面の簡単な説明】
【図１】  この発明の一実施形態に係る携帯端末装置の斜視図である。
【図２】  この発明の一実施形態に係る携帯端末装置の側断面図である。
【図３】  この発明の一実施形態に係る携帯端末装置の要部の一部断面視した背面図である。
【図４】  この発明の一実施形態に係る携帯端末装置の平断面図である。
【図５】  この発明の一実施形態に係る携帯端末装置の要部の拡大背面図である。
【符号の説明】
１    携帯端末装置
２    第一の筐体
３    第二の筐体
５    前面
６    基準位置
１１  操作部（操作キー）
１２  マイクロフォン部
２１  前面
２２  表示部
２３  受話スピーカー
４３  信号切換部
【図１】
0004436013.tif 000002
【図２】
0004436013.tif 000003
【図３】
0004436013.tif 000004
【図４】
0004436013.tif 000005
【図５】
0004436013.tif 000006